(57)【要約】【課題】  余計な施工の手間やコストをかけずに付設構造物を片持ちで設置することができる付設構造物の支持構造を提供する。【解決手段】  本付設構造物の支持構造は、建物の外周基礎２に片持ちで設置される付設構造物の支持構造であって、前記付設構造物を支持する腕木３が外周基礎２に固定され、外周基礎２の腕木３の延長方向屋内側に控え基礎４が配設されたものである。【選択図】      図１
2006070641.tif 000002
【特許請求の範囲】
【請求項１】
建物の外周基礎に片持ちで設置される付設構造物の支持構造であって、
前記付設構造物を支持する腕木が前記外周基礎に固定され、
該外周基礎の前記腕木の延長方向屋内側に控え基礎が配設されたことを特徴とする付設構造物の支持構造。
【請求項２】
前記控え基礎は、フーチングを備えていないことを特徴とする請求項１記載の付設構造物の支持構造。
【請求項３】
前記付設構造物は、バルコニーである請求項１又は２記載の付設構造物の支持構造。
【発明の詳細な説明】
【技術分野】
【０００１】
本発明は、建物の外周基礎に片持ちで設置される付設構造物の支持構造に関する。
【背景技術】
【０００２】
住宅等の建物の周囲にバルコニーやポーチ、室外機の置き台等の付設構造物を設置することがあるが、建物にバルコニーを設置する場合、建物の外壁から所定の間隔を隔てて立設されてバルコニーの先端部を支持する支柱と建物の構造体によりバルコニーを支持するものと、建物から梁や腕木を突出させ、該梁や腕木により一端が建物に固定され他端が持ち出された片持ちでバルコニーを支持するものとがある（例えば、特許文献１参照）。前者の支柱付きのバルコニーでは、バルコニーの自重や該バルコニーへの積載物の荷重等が前記支柱と建物の構造体により支持されるため安全性は高いが、支柱が邪魔になってバルコニーの下方を有効に活用できないため使い勝手が悪く、また、建物外観の意匠上も支柱があることは望ましいものではない。また、後者の片持ちによるバルコニーでは、バルコニーを片持ちで支持する梁や腕木を設けるが、建物の床梁を外壁面から突出するように延ばしてバルコニーの梁とするか、建物の桁梁等の外周梁の側面や床梁の小口に腕木を取り付けるのが一般的である。
【０００３】
建物の１階部分にバルコニーを設置する場合においても、上記した２種類の構造のいずれかによってバルコニーを支持するが、建物が建設される敷地が傾斜地で支柱を立設し難いといった敷地条件や使い勝手、建物外観の意匠上支柱があるのは望ましくないといった点から、片持ちによるバルコニーの設置を選択することがある。
【特許文献１】特開平１１−３０３１９３号公報
【発明の開示】
【発明が解決しようとする課題】
【０００４】
バルコニーを片持ちで建物の１階部分に設置する場合、一般的に１階部分には外周梁や床梁がないため、バルコニーを支持する腕木は、柱や外壁、外周基礎といった建物の構造部材に固定される。この腕木の固定位置には、図１０に示すように、バルコニーの自重やバルコニーの積載物の荷重等の腕木８０が負担する荷重Ｗａによる曲げモーメントＭａが作用する。この曲げモーメントＭａにより外周基礎にねじれが生じ、構造耐力上支障をきたす恐れがあるため、腕木を固定する建物の構造部材８１を該曲げモーメントＭａに抵抗できるように補強する必要がある。
【０００５】
２階建ての住宅程度の規模の建物において、腕木８０を建物の柱や外壁に固定するとした場合、該柱や外壁の断面形状が非常に大きなものとなり現実的ではない。また、腕木８０を外周基礎に固定するとした場合においても、前記曲げモーメントＭａにより外周基礎にねじれが生じないようにするためには、外周基礎の断面形状を大きくするといった対策が必要となる。鉄筋コンクリート造の外周基礎にねじれが生じないように前記曲げモーメントＭａに抵抗させるには、図１１（ａ）に示すように、外周基礎９０の断面形状を大きくして、主筋９１を４本以上配筋するとともに、該主筋９１の周囲にループ状のせん断補強筋９２を配筋して、断面内にせん断補強筋９２により囲まれたねじれ抵抗部９３を設けて曲げモーメントＭａに抵抗させることが考えられる。
【０００６】
しかしながら、２階建ての住宅程度の規模の建物の外周基礎９０においては、図１１（ｂ）に示すように、せん断補強筋９２が主筋９１の片側一列に設けられるのが一般的であり、せん断補強筋９２により囲まれた部分がなく、ねじれに対する抵抗力が小さい。このような規模の建物の外周基礎９０の断面形状を大きくして主筋９１を４本配筋し、せん断補強筋９２に囲まれたねじれ抵抗部９３を設けようとすると、ねじれ抵抗部９３を形成するループ状のせん断補強筋９２を配筋したり、また、断面形状が大きい外周基礎９０用の型枠が必要となるため、施工の手間がかかり、コストへの負担も大きいという問題点がある。
【０００７】
本発明は、上記の課題に鑑みてなされたものであり、余計な施工の手間やコストをかけずに付設構造物を片持ちで設置することができる付設構造物の支持構造を提供することを目的とする。
【課題を解決するための手段】
【０００８】
上記目的を達成するために、請求項１記載の付設構造物の支持構造は、建物の外周基礎に片持ちで設置される付設構造物の支持構造であって、前記付設構造物を支持する腕木が前記外周基礎に固定され、該外周基礎の前記腕木の延長方向屋内側に控え基礎が配設されたことを特徴としている。
【０００９】
請求項２記載の付設構造物の支持構造は、請求項１記載の付設構造物の支持構造において、前記控え基礎は、フーチングを備えていないことを特徴としている。
【００１０】
請求項３記載の付設構造物の支持構造は、請求項１又は２記載の付設構造物の支持構造において、前記付設構造物は、バルコニーであることを特徴としている。
【発明の効果】
【００１１】
本発明の請求項１の付設構造物の支持構造によれば、付設構造物を支持する腕木が外周基礎に固定され、該外周基礎の前記腕木の延長方向屋内側に控え基礎が配設されるため、控え基礎の自重により外周基礎に作用する曲げモーメントが、腕木が負担する荷重により外周基礎に作用する曲げモーメントを相殺し、余計な施工の手間やコストをかけずに付設構造物を片持ちで設置することができる。また、外周基礎の断面形状を変更することなく外周基礎にねじれを生じさせることを防止することができる。また、外周基礎の断面形状を変更せずに済むため、従来使用している型枠を用いることができ、新たな型枠を用いる手間やコストがかからない。また、付設構造物が積載物や積雪により大きな荷重がかかるバルコニーである場合に特に有用である。
【００１２】
請求項２の付設構造物の支持構造によれば、請求項１記載の付設構造物の支持構造の効果に加えて、控え基礎は、フーチングを備えていないため、フーチングを備える場合と比較すると、控え基礎の断面形状や配筋が簡略化されてコンクリート打設量や鉄筋量が削減されるので、施工の手間を省略し、且つ、経済性を高めることができる。また、付設構造物が積載物や積雪により大きな荷重がかかるバルコニーである場合に特に有用である。
【発明を実施するための最良の形態】
【００１３】
以下、本発明の実施の形態に係る付設構造物の支持構造について図面に基づいて説明するが、具体例として、２階建ての建物の１階部分にバルコニーを設置する場合について説明する。
図１は、本実施の形態に係るバルコニーの支持構造１の概略構成を示す平面図であるが、図示するように、建物の外周基礎２、バルコニーを支持する腕木３、控え基礎４、及びバルコニーの床部分を形成する床フレーム５を主体に構成される。なお、床フレーム５に床材や手摺が設置される等してバルコニーを形成する。
【００１４】
外周基礎２は、建物の外周部分にかかる荷重を地盤に伝えるものであり、図２に示すように、直筋の主筋２０及び直筋のせん断補強筋２１が配筋され、基礎の沈み込みを防止するために立ち上がり部分よりも幅広に形成されるフーチング２２を備える鉄筋コンクリート造の構造部材である。この外周基礎２には、腕木３が固定される位置に腕木取付部２３が切り欠いて設けられている。この腕木取付部２３の天端には、腕木３固定用のボルト２４が埋め込まれている。また、腕木取付部２３の側面には、凹状部２５が設けられており、該凹状部２５にも腕木３固定用のボルト２６が埋め込まれている。このボルト２６の先端は、腕木３を腕木取付部２３の天端に載置する際に腕木３に当たらないように、腕木取付部２３の側面から突出せずに凹状部２５内に納まっている。
【００１５】
腕木３は、図２に示すように、一端側が外周基礎２に固定され他端側が持ち出されて片持ちでバルコニーを支持するためのものであり、外周基礎２に固定される上面板３０及び側面板３１と、外周基礎２から垂直に持ち出されてバルコニーを取り付ける床フレーム取付板３２とからなる耐候性を有する鋼製部材である。この上面板３０は、外周基礎２の腕木取付部２３の天端に載置されるものであり、前記ボルト２４に対応させてボルト穴３３が設けられている。側面板３１は、上面板３０の屋外側の下方に垂直に固定されて腕木取付部２３の側面に当接されるものであり、前記ボルト２６に対応させてボルト穴３４が設けられている。また、床フレーム取付板３２は、側面板３１に屋外方向に垂直に突設されたものであり、床フレーム５を取り付けるためのボルト穴３５と、床フレーム５を載置するためのフラップ３６が設けられている。また、三角形の補強板３７が床フレーム取付板３２の側面板３１側の端部の上面と側面板３１とに固定されている。なお、図２に示した腕木３は、バルコニーの中間部に用いられるものを示したものであり、腕木３には、図示しないが、バルコニーの袖部に用いられるものや、建物のコーナー部にバルコニーを設置する場合に用いられるもの等があり、それぞれ多少形状が異なるが、外周基礎２に固定される部分と外周基礎２から垂直に持ち出されてバルコニーを取り付ける部分とからなる基本的な構成は、図２に示した腕木３と同様である。
【００１６】
控え基礎４は、図１及び図２に示すように、外周基礎２の腕木３の延長方向屋内側に配設される鉄筋コンクリート造の構造部材である。図３に示すように、この控え基礎４の自重Ｗｂにより外周基礎２に作用する曲げモーメントＭｂが、バルコニーの自重やバルコニーの積載物の荷重等の腕木３が負担する荷重Ｗａにより外周基礎２に作用する曲げモーメントＭａを相殺する。したがって、外周基礎２の断面形状を変更することなく外周基礎２にねじれを生じさせることを防止することができる。また、バルコニーにかかる荷重が小さく曲げモーメントＭａが小さいと予想される場合においては、控え基礎４は、図４に示すように、直筋の主筋４０と、所定ピッチ以下でせん断補強筋４１が配筋され、フーチング２２を備えない断面略長方形形状をした自重Ｗｂが軽いものとする。この場合の控え基礎４は、フーチング２２を備えていないため、フーチング２２を備えたものと比較すると、断面形状や配筋が簡略化されてコンクリート打設量や鉄筋量が削減されるので、施工の手間を省略し、且つ、経済性を高めることができる。また、この控え基礎４を形成する際に使用する型枠は、外周基礎２を形成する際に使用する型枠を援用するため、新たに控え基礎４専用の型枠を用意する必要がなく、また、配筋においてもループ状の配筋は用いないため、基礎工事において余計に施工の手間やコストがかかることを防止することができる。
【００１７】
控え基礎４の控え長さＬは、対応する腕木３が負担する荷重Ｗａにより外周基礎２に作用する曲げモーメントＭａを相殺する曲げモーメントＭｂを外周基礎２に作用させる自重Ｗｂとなるように決定される。すなわち、バルコニーの積雪量が多いほど控え長さＬは長くなり、図５に示すように、バルコニーの袖部に用いられる腕木３に対応する控え基礎４の控え長さＬよりも、負担する荷重が大きいバルコニーの中間部に用いられる腕木３に対応する控え基礎４の控え長さＬの方が長くなる。また、積雪時等に作用する最大曲げモーメントＭａと曲げモーメントＭｂがつり合うように控え長さＬを決定すると、効率良く外周基礎２を補強するとともにバルコニーを支持でき、且つ、経済的であり、特に好ましい。
【００１８】
なお、外周基礎２の腕木３の延長方向屋内側に建物の間仕切壁の下に設けられる基礎（以下、「間仕切基礎」という。）６がある場合は、該間仕切基礎６が控え基礎４の役割を果たすので、控え基礎４は配設しない。また、図６（ａ）に示すように、外周基礎２と平行に配設される間仕切基礎６と外周基礎２との間隔Ａが控え基礎４の必要控え長さＬよりも短い場合は、図６（ｂ）に示すように、控え基礎４を間仕切基礎６に接続するが、間仕切基礎６の自重が控え基礎４に加わるため、控え基礎４の不足分は配設しない。
【００１９】
次に、本実施の形態に係るバルコニーの支持構造１の施工方法について説明する。
まず、根切りをして基礎の底の部分にあたる範囲の土を掘る。この際、外周基礎２はフーチング２２を備え、控え基礎４はフーチング２２を備えないため根切り底にレベル差が生じるが、外周基礎２と控え基礎４の接続部分の控え基礎４側の根切り底に勾配を設けて前記レベル差を吸収する。根切り後、床付けをして根切り底を平滑に仕上げる。そして、根切り底を締め固めた後、割栗石や砕石を敷き並べて目潰し砂で隙間を埋めて地業６０を施す。なお、該地業６０の上を平坦にするために、地業６０の上に捨てコンクリートを打設するようにしてもよい。地業完了後、地業６０上に鉄筋のかぶり厚さを確保するためのサイコロブロックと控え基礎４部分を形成する型枠の足元を固定する吊り巾止めをモルタルを用いてレベル調整をしながら設置する。
【００２０】
次いで、配筋するが、外周基礎２と控え基礎４の接続部分の配筋は、図７（ａ）に示すように、Ｌ筋６１を用いて接続したり、図７（ｂ）に示すように、主筋４０を曲げ加工して接続するが、Ｌ筋６１や曲げ加工された主筋４０の定着長さＬｔを十分に確保して、控え基礎４の自重Ｗｂによる曲げモーメントＭｂが外周基礎２に確実に作用するように配筋する。
【００２１】
そして、図８に示すように、フーチング２２を形成するベース用型枠６２と外周基礎２の立ち上がり部分及び控え基礎４を形成する型枠６３を組み立てる。型枠６３は、足元をベース用型枠６２や吊り巾止めに固定しながら組み立てる。外周基礎２と控え基礎４の接続部分においては、該接続部分の入隅に内コーナー用のベース用型枠６２ａを設置し、該内コーナー用のベース用型枠６２ａの控え基礎４側の端部と、根切り底の勾配によって生じる型枠６３と地業６０の隙間にコンパネ６４をあてがうように設置して、流し込むコンクリートを該コンパネ６４で堰き止めるようにする。控え基礎４の端部が間仕切基礎６に接続せずに控え基礎４が半島状になる場合は、外コーナー用の型枠６３ａを２枚組み合わせて控え基礎４の端部を形成する型枠を組み立てる。型枠の組立てが完了したら、コンクリートを流し込む。この際、腕木取付部２３の設置に留意する。コンクリートを打設して、型枠の存置期間が終了した後、型枠を取り外し、余分に掘った部分に土をいれてレベルを整える。
【００２２】
基礎工事の完了後、腕木３を外周基礎２の腕木取付部２３に固定するが、図２に示すように、腕木３の上面板３０に設けられたボルト穴３３をボルト２４に嵌め合わせて上面板３０を腕木取付部２３の天端に載置し、ボルト２４に座がね６５を介してナット６６を螺合し固定する。そして、ステンレス製の継ぎ足し六角ボルト６７を腕木３の側面板３１に設けられたボルト穴３４に挿通するとともにボルト２６に螺合し、ボルト穴３４から突出した継ぎ足し六角ボルト６７に座がね６５を介してナット６６を螺合して腕木３を固定する。
【００２３】
そして、外周基礎２の上に外壁等が設置され、該外壁にタイル等の外壁仕上材６８が施工された後、該外壁仕上材６８と腕木３との隙間にシーリングをして防水処理を施す。そして、図９に示すように、床フレーム５を床フレーム取付板３２にボルト穴３５と床フレーム５に設けられたボルト穴６９において耐候性を有するボルト７０、座がね７１、及びナット７２によりボルト締めで固定する。腕木３に取り付けられた床フレーム５が水平になるようレベル調整を行い、床フレーム５に床材や手摺を設置する等してバルコニーを完成させる。
【００２４】
以上の説明からも明らかなように、本実施の形態のバルコニーの支持構造１によれば、控え基礎４の自重Ｗｂにより外周基礎２に作用する曲げモーメントＭｂが腕木３が負担する荷重Ｗａにより外周基礎２に作用する曲げモーメントＭａを相殺し、外周基礎２の断面形状を変更せずに外周基礎２にねじれを生じさせることなくバルコニーを片持ちで設置することができる。
【００２５】
なお、本発明は上記実施の形態に限定されるものではなく、本発明の要旨の範囲内で種々の変形実施が可能である。例えば、上記実施の形態では、付設構造物としてバルコニーを用いて説明したが、本発明は、ポーチや室外機の置き台等を外周基礎から腕木を持ち出して片持ちで設置する場合においても有効である。
【産業上の利用可能性】
【００２６】
本発明は、１階部分にバルコニー、ポーチ、室外機の置き台等の付設構造物を設置する建物に利用可能である。
【図面の簡単な説明】
【００２７】
【図１】本発明の実施の形態に係るバルコニーの支持構造の概略構成を示す斜視図である。
【図２】外周基礎、腕木、及び控え基礎を示す斜視図である。
【図３】腕木が負担する荷重及び該荷重により外周基礎に作用する曲げモーメントと、控え基礎の自重及び該自重により外周基礎に作用する曲げモーメントを示す模式図である。
【図４】控え基礎の断面図である。
【図５】控え基礎の控え長さを示す模式図である。
【図６】外周基礎と間仕切基礎の間隔が控え基礎の必要控え長さより短い場合の控え基礎の配設を示す平面図である。
【図７】外周基礎及び間仕切基礎と控え基礎の配筋を示す斜視図である。
【図８】外周基礎と控え基礎の接続部分における型枠を示す斜視図である。
【図９】床フレームを腕木に固定する方法を示す斜視図である。
【図１０】腕木が負担する荷重及び該荷重による曲げモーメントを示す模式図である。
【図１１】外周基礎を示す断面図である。
【符号の説明】
【００２８】
１    バルコニーの支持構造
２    外周基礎
３    腕木
４    控え基礎
２２    フーチング
【図１】
2006070641.tif 000003
【図２】
2006070641.tif 000004
【図３】
2006070641.tif 000005
【図４】
2006070641.tif 000006
【図５】
2006070641.tif 000007
【図６】
2006070641.tif 000008
【図７】
2006070641.tif 000009
【図８】
2006070641.tif 000010
【図９】
2006070641.tif 000011
【図１０】
2006070641.tif 000012
【図１１】
2006070641.tif 000013